(57)【要約】【課題】  知りたい情報が絞り込むことなく取得されるようにし、ユーザによる操作を簡素化できるようにする。【解決手段】  情報記憶手段としての情報記憶部１９０に機器操作の基本説明と、機器操作に関わるＦＡＱと、機器に関わる用語集とを示す情報を記憶しておき、信号処理手段として再生信号処理部１５０により情報記憶部１９０に記憶されている情報を表示可能に信号処理させ、制御手段としての制御部１８０が基本説明、ＦＡＱ、用語集のいずれかの選択を受け付けると、該当する情報を情報記憶部１９０から読み出して再生信号処理部１５０による信号処理を制御するようにした。【選択図】  図１
2007104096.tif 000002
【特許請求の範囲】
【請求項１】
機器の操作内容を表示可能な映像表示装置であって、
機器操作の基本説明と、機器操作に関わるＦＡＱと、機器に関わる用語集とを示す情報を記憶する情報記憶手段と、
前記情報記憶手段に記憶されている情報を表示可能に信号処理する信号処理手段と、
前記基本説明、ＦＡＱ、用語集のいずれかの選択を受け付け、該当する情報を前記情報記憶手段から読み出して前記信号処理手段による信号処理を制御する制御手段とを備える
ことを特徴とする映像表示装置。
【請求項２】
前記基本説明、ＦＡＱ、用語集の各々を示す情報には、相互に情報が参照されるリンクデータが含まれていることを特徴とする請求項１に記載の映像処理装置。
【請求項３】
前記基本説明、ＦＡＱ、用語集の各々を示す情報には、それぞれの情報を動画で表示するための動画データが含まれていることを特徴とする請求項１又は２に記載の映像処理装置。
【請求項４】
前記制御手段は、アップデート情報を元に、前記情報記憶手段に記憶されている情報を書き換えることを特徴とする請求項１〜３のいずれかに記載の映像処理装置。
【請求項５】
前記アップデート情報は、外部入力によって得られることを特徴とする請求項４に記載の映像処理装置。
【請求項６】
機器の操作内容を表示可能な映像表示方法であって、
情報記憶手段に記憶されている基本説明、ＦＡＱ、用語集の各々を示す情報のいずれかの選択を受け付け、該当する情報を前記情報記憶手段から読み出すステップと、
読み出された前記情報を表示可能に信号処理するステップとを有する
ことを特徴とする映像表示方法。
【請求項７】
前記基本説明、ＦＡＱ、用語集の各々を示す情報には、相互に情報が参照されるリンクデータが含まれていることを特徴とする請求項６に記載の映像処理方法。
【請求項８】
前記基本説明、ＦＡＱ、用語集の各々を示す情報には、それぞれの情報を動画で表示するための動画データが含まれていることを特徴とする請求項６又は７に記載の映像処理方法。
【請求項９】
アップデート情報を元に、前記情報記憶手段に記憶されている情報を書き換えるステップを有することを特徴とする請求項６〜８のいずれかに記載の映像処理方法。
【請求項１０】
前記アップデート情報は、外部入力によって得られることを特徴とする請求項９に記載の映像処理方法。
【発明の詳細な説明】
【技術分野】
【０００１】
本発明は、ヘルプ機能付きの映像表示装置及び映像表示方法に関する。
【背景技術】
【０００２】
従来より、テレビ受信機等の映像表示装置においては、取扱説明書以外に、ガイド表示によって取扱説明を画面に表示するガイド機能が搭載されている場合がある。すなわち、リモコンに操作キーがある機能に対しては、リモコンのガイドキーが押された直後の、リモコンの知りたい操作キー（リモコンにおけるユーザがその機能を知りたい操作キー）の押下に対応したガイド表示が行われる。また、リモコンにキーの無い機能を操作するためのメニュー表示のガイドに対しては、メニューの中の知りたい機能が選択された状態で、リモコンのガイドキーを押下することにより、ガイド表示が行われる。
【０００３】
また、オンスクリーン表示によって、設定操作内容に該当する取扱説明書のページをメニュー表示画面に表示可能とし、機器設定における操作性を向上させるようにしたものもある。
【０００４】
ところが、上述したガイド機能により取扱説明を画面に表示する方法では、取扱説明の内容が固定であり、その内容を変更することが困難であるばかりか、取扱説明の内容に応じた説明画面が多くなると、画面データが非常に多くなるという問題を有している。
【０００５】
また、オンスクリーン表示によって、設定操作内容に該当する取扱説明書のページをメニュー表示画面に表示可能とする方法では、取扱説明書を一緒に読まないと操作することが困難であるという問題を有している。
【０００６】
そこで、特許文献１では、ＢＭＬ（Broadcast Markup Language）等のマークアップ記述言語によって記載された操作ガイドデータを格納し、ブラウジング処理によってその操作ガイドデータを処理し、その操作ガイドを受像機に表示するようにすることで、操作ガイドデータのデータ量を少なくでき、さらに受信機自体の機能追加やメニューの変更等をした際にも、変更内容に追従して操作ガイドデータの変更・追加を行うことができるようにしたガイド機能付きデジタルテレビ受信装置を提案している。
【特許文献１】特開２００３−３０４４６７号公報
【発明の開示】
【発明が解決しようとする課題】
【０００７】
このように、特許文献１に示されたものでは、ＢＭＬ等のマークアップ記述言語によって記載された操作ガイドデータを格納するようにしておくことで、操作ガイドのデータ量の削減やデータの変更・追加を行うことができる。
【０００８】
ところが、特許文献１に示されたものでは、たとえ操作ガイドデータの変更・追加が行われたとしても、その操作ガイドデータが取扱説明書に準ずる内容であるため、知りたい情報を検索するためにはメニュー画面から知りたい情報を絞り込んでいかなければならず、ユーザによる操作が煩雑になってしまうという問題があった。
【０００９】
本発明は、このような状況に鑑みてなされたものであり、上記問題点を解決することができる映像表示装置及び映像表示方法を提供することを目的とする。
【課題を解決するための手段】
【００１０】
本発明の映像表示装置は、機器の操作内容を表示可能な映像表示装置であって、機器操作の基本説明と、機器操作に関わるＦＡＱと、機器に関わる用語集とを示す情報を記憶する情報記憶手段と、前記情報記憶手段に記憶されている情報を表示可能に信号処理する信号処理手段と、前記基本説明、ＦＡＱ、用語集のいずれかの選択を受け付け、該当する情報を前記情報記憶手段から読み出して前記信号処理手段による信号処理を制御する制御手段とを備えることを特徴とする。
また、前記基本説明、ＦＡＱ、用語集の各々を示す情報には、相互に情報が参照されるリンクデータが含まれているようにすることができる。
また、前記基本説明、ＦＡＱ、用語集の各々を示す情報には、それぞれの情報を動画で表示するための動画データが含まれているようにすることができる。
また、前記制御手段は、アップデート情報を元に、前記情報記憶手段に記憶されている情報を書き換えるようにすることができる。
また、前記アップデート情報は、外部入力によって得られるようにすることができる。
本発明の映像処理方法は、機器の操作内容を表示可能な映像表示方法であって、情報記憶手段に記憶されている基本説明、ＦＡＱ、用語集の各々を示す情報のいずれかの選択を受け付け、該当する情報を前記情報記憶手段から読み出すステップと、読み出された前記情報を表示可能に信号処理するステップとを有することを特徴とする。
また、前記基本説明、ＦＡＱ、用語集の各々を示す情報には、相互に情報が参照されるリンクデータが含まれているようにすることができる。
また、前記基本説明、ＦＡＱ、用語集の各々を示す情報には、それぞれの情報を動画で表示するための動画データが含まれているようにすることができる。
また、アップデート情報を元に、前記情報記憶手段に記憶されている情報を書き換えるステップを有するようにすることができる。
また、前記アップデート情報は、外部入力によって得られるようにすることができる。
本発明の映像表示装置及び映像表示方法では、機器の操作内容等に関わるものとして、基本説明、ＦＡＱ、用語集の各々を示す情報を有し、特にＦＡＱを選択することで、知りたい情報が絞り込むことなく取得される。
【発明の効果】
【００１１】
本発明の映像表示装置及び映像表示方法によれば、機器の操作内容等に関わるものとして、基本説明、ＦＡＱ、用語集の各々を示す情報を有し、特にＦＡＱを選択することで、知りたい情報が絞り込むことなく取得されることから、ユーザによる操作を簡素化することができる。
【発明を実施するための最良の形態】
【００１２】
本実施形態では、情報記憶手段に機器操作の基本説明と、機器操作に関わるＦＡＱと、機器に関わる用語集とを示す情報を記憶しておき、信号処理手段により情報記憶手段に記憶されている情報を表示可能に信号処理させ、制御手段が基本説明、ＦＡＱ、用語集のいずれかの選択を受け付けると、該当する情報を情報記憶手段から読み出して信号処理手段による信号処理を制御するようにし、特にＦＡＱが選択されると、知りたい情報が絞り込むことなく取得されるようにすることで、ユーザによる操作を簡素化できるようにした。
【実施例】
【００１３】
図１は、本発明の映像表示装置をモニタにケーブルで接続される据え置きタイプのＤＶＤレコーダに適用した場合の一実施例を示すブロック図である。同図において、ＤＶＤレコーダ１００は、通信インタフェース（Ｉ／Ｆ）１１０、デコーダ１２０、エンコーダ１３０、記録再生信号処理部１４０、再生信号処理部１５０、外部出力回路１６０、受信部１７０、制御部１８０、情報記憶部１９０を備えている。
【００１４】
通信インタフェース（Ｉ／Ｆ）１１０は、放送受信信号、衛星放送受信信号、外部ディスク再生信号、ＬＡＮ入力信号等の外部入力信号を取り込む。デコーダ１２０は、通信インタフェース（Ｉ／Ｆ）１１０によって取り込まれた外部入力信号の規格に従いその外部入力信号のデータ伸長を行う。すなわち、その外部入力信号がたとえばＤＶ規格（デジタルＶＴＲにおけるＳＤ仕様に沿った規格）のデジタル映像信号となっている場合、その映像信号をＤＶ規格に従って伸長する。
【００１５】
エンコーダ１３０は、デコーダ１２０より出力されるデジタル映像信号を符号化することによって、光ディスクであるＤＶＤ１４２の規格のデジタル映像信号（たとえばＭＰＥＧ２の規格に従って符号化された信号）を生成する。
【００１６】
記録再生信号処理部１４０は、記録時に、エンコーダ１３０から出力されるデジタル映像信号に基づいて、データの書き込み／読み出しを行うピックアップ１４１を駆動する駆動信号を生成し、ピックアップ１４１に出力する。また、記録再生信号処理部１４０は、再生時に、ピックアップ１４１より出力される信号からＲＦ信号を取り出して再生信号処理部１５０に出力する。
【００１７】
なお、ピックアップ１４１は、記録時に、記録再生信号処理部１４０から出力される駆動信号に従って、図示しないスピンドルモータにより回転駆動される光ディスクであるＤＶＤ１４２にデジタル映像信号を書き込む。また、再生時には、ＤＶＤ１４２に記録されたデータを読み取って得られた信号を記録再生信号処理部１４０に出力する（サーボ制御のための信号経路については、図示を省略している）。
【００１８】
再生信号処理部１５０は、ＯＳＤ（オンスクリーンディスプレイ）回路１５１を有し、記録再生信号処理部１４０より出力されるＲＦ信号からデジタルデータを復号した後、エラー訂正を行い、エラー訂正することにより得られたビデオストリームを、ＭＰＥＧの規格に従って伸長した後、Ｄ／Ａ変換する。
【００１９】
そして、Ｄ／Ａ変換により得られた信号であるアナログ映像信号を外部出力回路１６０に渡す。また、ＯＳＤ回路１５１は、制御部１８０からの指示に従った、後述のヘルプ表示をモニタ２００に対してＯＳＤ表示させる。外部出力回路１６０は、再生信号処理部１５０からのアナログ映像信号をモニタ２００に出力する。
【００２０】
受信部１７０は、図示しないリモートコントロール装置（以下、単にリモコンという）からのリモコン信号を受信して制御部１８０に渡す。なお、ここでは、各種指示を行うためにＤＶＤレコーダ本体に設けられている操作ボタン等の図示を省略している。
【００２１】
制御部１８０は、ＤＶＤレコーダ１００の主要動作を制御する。すなわち、外部からのデジタル映像信号をＤＶＤ１４２に記録するときには、デコーダ１２０の動作、エンコーダ１３０の動作を制御する。また、ＤＶＤ１４２に記録された映像信号を再生するときには、再生信号処理部１５０の動作を制御する。また、制御部１８０は、機能の一部によって、選択指示受付部１８１、ＯＳＤ表示制御部１８２、選択情報特定部１８３、選択情報読込部１８４、書換情報受付部１８５、情報書換部１８６を構成する。
【００２２】
選択指示受付部１８１は、受信部１７０からのリモコン信号による選択指示を受け付ける。ここで、リモコン信号による選択指示として、電源のオン／オフ、再生、速送り、速戻し、停止、各種設定等に加え、ヘルプ表示及びカーソルの移動やカーソルが位置する項目を選択したことを入力するための決定等があるものとする。
【００２３】
ＯＳＤ表示制御部１８２は、ヘルプ表示の選択指示に応じて後述のヘルプ初期画面をＯＳＤ表示させるようにＯＳＤ回路１５１を制御するとともに、そのヘルプ初期画面からカーソル移動によって決定された項目に対応する情報をＯＳＤ表示させるようにＯＳＤ回路１５１を制御する。また、ＯＳＤ表示制御部１８２は、ＯＳＤ表示させた情報にリンクデータが含まれていて、そのリンクデータが選択された場合、後述のように、該当する内容をＯＳＤ表示させるようにＯＳＤ回路１５１を制御する。
【００２４】
選択情報特定部１８３は、選択指示受付部１８１によって受け付けられた選択指示に対応する情報を、後述のヘルプ機能情報テーブル１９１を参照して特定する。選択情報読込部１８４は、選択情報特定部１８３によって特定された情報を後述のヘルプ機能情報格納エリア１９２から読み込む。
【００２５】
書換情報受付部１８５は、通信インタフェース（Ｉ／Ｆ）１１０を介してヘルプ機能情報のアップデート情報が取り込まれた場合、そのアップデート情報を情報書換部１８６に渡す。情報書換部１８６は、書換情報受付部１８５からのアップデート情報を元に、ヘルプ機能情報テーブル１９１の内容とヘルプ機能情報格納エリア１９２の内容とを書き換える。なお、アップデート情報は、通信インタフェース（Ｉ／Ｆ）１１０を介して取り込まれる、放送受信信号、衛星放送受信信号、外部ディスク再生信号、ＬＡＮ入力信号等の外部入力信号から得られるようにすることができる。
【００２６】
情報記憶部１９０は、少なくとも後述のヘルプ機能情報テーブル１９１とヘルプ機能情報格納エリア１９２とを有している。ここで、ヘルプ機能情報格納エリア１９２には、ヘルプ機能によって表示される各種情報がたとえば階層的に記録されており、各種情報の表示のための読み込みはヘルプ機能情報テーブル１９１に登録されている後述の各アドレスに基づいて行われるようになっている。
【００２７】
図２は、ヘルプ機能情報テーブル１９１の詳細について説明するための図である。同図に示すように、ヘルプ機能情報テーブル１９１には、受信部１７０からのリモコン信号による選択指示に応じた情報をヘルプ機能情報格納エリア１９２から読み出すためのメインメニューアドレスと、サブメニューアドレスと、内容データアドレスと、リンクデータアドレスとが登録されている。
【００２８】
なお、メインメニューの項目としては、後述のように「スタートメニュー項目説明」、「こんなときは」、「用語集」となり、それぞれに階層的に続くサブメニューの項目や内容データ並びにリンクデータについては追って説明する。
【００２９】
ここで、メインメニューアドレスをＡとしたとき、そのメインメニューの次の層のサブメニューアドレスがＡ−１，Ａ２・・・とされ、さらにそのサブメニューの次の層の内容データアドレスがＡ−１−１，Ａ−２−１，・・・とされているものとする。また、それぞれの内容データにおいて、リンクデータがある場合には、その内容データの次の層にいずれかの内容データのリンクを示すＢ−５−１，Ｃ−３−１・・・といったようなリンクデータアドレスがあるものとする。なお、メインメニューアドレスがＢである場合、Ｃである場合も同様にアドレスが登録されているものとする。
【００３０】
図３は、ヘルプ機能情報格納エリア１９２に階層的に記録されている各種情報のうち、メインメニューの項目が「スタートメニュー項目説明」である場合のデータ構造を概念的に示す図である。
【００３１】
同図に示すように、「スタートメニュー項目説明」の次の層にはたとえば「再生・編集」、「予約」、「ダビング」、「消去」、「ディスク管理」、「各種設定」を示すサブメニューの項目データがある。また、それぞれのサブメニューの項目データの次の層には内容データがあり、さらにそれぞれの内容データの次の層にはリンクデータがある。
【００３２】
図４は、ヘルプ機能情報格納エリア１９２に階層的に記録されている各種情報のうち、メインメニューの項目が「こんなときは」である場合のデータ構造を概念的に示す図である。
【００３３】
同図に示すように、「こんなときは」の次の層にはたとえば「テレビ放送の受信でよくあるお問い合わせ」、「チャンネル設定でよくあるお問い合わせ」、「リモコン操作でよくあるお問い合わせ」、「番組表表示でよくあるお問い合わせ」、「録画やダビングでよくあるお問い合わせ」、「再生・編集でよくあるお問い合わせ」を示すサブメニューの項目データがある。また、それぞれのサブメニューの項目データの次の層には内容データがあり、さらにそれぞれの内容データの次の層にはリンクデータがある。すなわち、ここでのデータは、いわゆる多くの人が同じような質問をすると予想されるような質問に対する答えを予め用意したＱ＆Ａ集であるＦＡＱ（Frequently Asked Question）となっている。
【００３４】
図５は、ヘルプ機能情報格納エリア１９２に階層的に記録されている各種情報のうち、メインメニューの項目が「用語集」である場合のデータ構造を概念的に示す図である。
【００３５】
同図に示すように、「用語集」の次の層にはたとえば「ＣＰＲＭ」、「ＶＲフォーマット」、「初期化」、「タイトルとチャプターディスク内の構成」、「電子番組表（ＥＰＧ）」、「ビデオフォーマット」、「ファイナライズ」、「録画画質」を示すサブメニューの項目データがある。また、それぞれのサブメニューの項目データの次の層には内容データがあり、さらにそれぞれの内容データの次の層にはリンクデータがある。
【００３６】
次に、映像表示方法について、図６〜図１７により説明する。まず、図６に示すように、受信部１７０からのリモコン信号による選択指示が選択指示受付部１８１によって受け付けられ、ＯＳＤ表示制御部１８２によりＯＳＤ回路１５１が制御され、モニタ２００にヘルプ表示であるヘルプ初期画面がＯＳＤ表示されている状態で、メインメニューの「スタートメニュー項目説明」、「こんなときは」、「用語集」のいずれかを図示しないリモコンを操作して選択する（ステップＳ１）。
【００３７】
ここで、たとえば図７（ａ）に示すように、メインメニューの「スタートメニュー項目説明」が選択されたものとすると（ステップＳ２）、選択情報特定部１８３により上述したヘルプ機能情報テーブル１９１が参照され、そのサブメニューアドレスを元に選択情報読込部１８４によりヘルプ機能情報格納エリア１９２からデータが読み込まれることで、図７（ｂ）に示すように、サブメニューの項目が表示される。ここで、図示しないリモコンを操作してカーソルを移動させ、いずれかのサブメニューを選択すればよい（ステップＳ３）。また、メインメニューの選択をし直す場合は、図示しないリモコンを操作して戻るを選択すればよい（ステップＳ４）。
【００３８】
サブメニューにおいて、図７（ｂ）に示すように、「再生・編集」の項目が選択されて決定されると、上記同様に、ヘルプ機能情報テーブル１９１が参照され、その内容データアドレスを元にヘルプ機能情報格納エリア１９２から、その「再生・編集」の項目の次の層の内容データが読み込まれ、図７（ｃ）のような「再生・編集」に関わる内容が表示される（ステップＳ５）。
【００３９】
ここで、その内容のいずれかの文字が他の文字とは色違いで表示されていたり、下線等で表示されることによるリンク表示が行われている場合、その文字にリンクデータが含まれていることになり、そのリンク表示されている文字が選択されると（ステップＳ６）、上記同様に、ヘルプ機能情報テーブル１９１が参照され、そのリンクデータアドレスを元に該当する内容データが読み込まれて表示される（ステップＳ７）。
【００４０】
つまり、たとえば図２のヘルプ機能情報テーブル１９１及び図３のデータ構造で示しているように、「再生・編集」に関わる内容にリンクデータがある場合、そのリンクデータアドレスであるＢ−５−１に該当する内容データが読み込まれて表示されることになる。具体的には、そのリンクデータアドレスであるＢ−５−１が図４のデータ構造に示すように、「録画やダビングでよくあるお問い合わせ」の内容であるとすると、その内容データが読み込まれて表示されることになる。
【００４１】
ここで、メインメニューの「スタートメニュー項目説明」から他のサブメニューを選択する場合は、図示しないリモコンを操作して戻るを選択すればよい（ステップＳ８）。ちなみに、図７（ｄ）は「予約」の項目を選択した場合であり、その選択を決定することで、上記同様に、その「予約」の項目の次の層の内容データが読み込まれ、図７（ｅ），（ｆ）のような「予約」に関わる内容が表示される。ここでも、その内容のいずれかの文字がリンク表示とされていて、そのリンク表示されている文字が選択されると、上記同様に、ヘルプ機能情報テーブル１９１が参照され、そのリンクデータアドレスを元に該当する内容データが読み込まれて表示されることになる。
【００４２】
また、図８（ａ）は「ダビング」の項目を選択した場合であり、その選択を決定することで、図８（ｂ）のような「ダビング」に関わる内容が表示される。ここでも、リンク表示されている文字が選択されると、上記同様に、該当する内容データが読み込まれて表示されることになる。なお、同様にして、それぞれのサブメニューに該当する内容が表示された場合、それぞれの内容でリンク表示されている文字が選択されると、該当する内容データが読み込まれて表示されることになるため、以下においてはリンク表示についての説明を省略する。
【００４３】
また、図８（ｃ）は「消去」の項目を選択した場合であり、その選択を決定することで、図８（ｄ）のような「消去」に関わる内容が表示される。また、図８（ｅ）は「ディスク管理」の項目を選択した場合であり、その選択を決定すると、図８（ｆ）のような「ディスク管理」に関わる内容が表示される。また、図９（ａ）は「各種設定」の項目を選択した場合であり、その選択を決定すると、図９（ｂ），（ｃ）のような「各種設定」に関わる内容が表示される。
【００４４】
次に、図６の（ステップＳ１）において、図１０（ａ）に示すように、メインメニューの選択から「こんなときは」が選択されたものとすると（ステップＳ９）、上記同様に、ヘルプ機能情報テーブル１９１のサブメニューアドレスを元にヘルプ機能情報格納エリア１９２からデータが読み込まれることで、図１０（ｂ）に示すように、サブメニューの項目が表示される。ここで、上記同様に、カーソルを移動させ、いずれかのサブメニューを選択すればよい（ステップＳ１０）。また、メインメニューの選択をし直す場合は、上記同様に、戻るを選択すればよい（ステップＳ１１）。
【００４５】
サブメニューにおいて、図１０（ｂ）に示すように、「テレビ放送の受信でよくあるお問い合わせ」の項目が選択されて決定されると、上記同様に、ヘルプ機能情報テーブル１９１が参照され、その内容データアドレスを元にヘルプ機能情報格納エリア１９２から、その「テレビ放送の受信でよくあるお問い合わせ」の項目の次の層の内容データが読み込まれ、図１０（ｃ）のような「テレビ放送の受信でよくあるお問い合わせ」に関わる内容が表示される（ステップＳ１２）。また、図１０（ｃ）の画面での内容に続く内容がある場合は次の画面を表示させることで、図１０（ｄ）のように「テレビ放送の受信でよくあるお問い合わせ」に関わる内容が表示される。
【００４６】
ここで、上記同様に、リンク表示されている文字が選択されると（ステップＳ１３）、ヘルプ機能情報テーブル１９１が参照され、そのリンクデータアドレスを元に該当する内容データが読み込まれて表示される（ステップＳ１４）。
【００４７】
ここで、メインメニューの「こんなときは」から他のサブメニューを選択する場合は、図示しないリモコンを操作して戻るを選択すればよい（ステップＳ１５）。ちなみに、図１１（ａ）は「チャンネル設定でよくあるお問い合わせ」の項目を選択した場合であり、その選択を決定することで、上記同様に、その「チャンネル設定でよくあるお問い合わせ」の項目の次の層の内容データが読み込まれ、図１１（ｂ），（ｃ）のような「チャンネル設定でよくあるお問い合わせ」に関わる内容が表示される。
【００４８】
また、図１２（ａ）は「リモコン操作でよくあるお問い合わせ」の項目を選択した場合であり、その選択を決定することで、図１２（ｂ），（ｃ），（ｄ）のような「リモコン操作でよくあるお問い合わせ」に関わる内容が表示される。また、図１３（ａ）は「番組表表示でよくあるお問い合わせ」の項目を選択した場合であり、その選択を決定することで、図１３（ｂ）のような「番組表表示でよくあるお問い合わせ」に関わる内容が表示される。
【００４９】
また、図１３（ｃ）は「録画やダビングでよくあるお問い合わせ」の項目を選択した場合であり、その選択を決定すると、図１３（ｄ），（ｅ）のような「録画やダビングでよくあるお問い合わせ」に関わる内容が表示される。また、図１４（ａ）は「再生・編集でよくあるお問い合わせ」の項目を選択した場合であり、その選択を決定すると、図１４（ｂ），（ｃ）のような「再生・編集でよくあるお問い合わせ」に関わる内容が表示される。
【００５０】
次に、図６の（ステップＳ１）において、図１５（ａ）に示すように、メインメニューの選択から「用語集」が選択されたものとすると（ステップＳ１６）、上記同様に、ヘルプ機能情報テーブル１９１のサブメニューアドレスを元にヘルプ機能情報格納エリア１９２からデータが読み込まれることで、図１５（ｂ）に示すように、サブメニューの項目が表示される。ここで、上記同様に、カーソルを移動させ、いずれかのサブメニューを選択すればよい（ステップＳ１７）。また、メインメニューの選択をし直す場合は、上記同様に、戻るを選択すればよい（ステップＳ１８）。
【００５１】
サブメニューにおいて、図１５（ｂ）に示すように、「ＣＰＲＭ」の項目が選択されて決定されると、上記同様に、ヘルプ機能情報テーブル１９１が参照され、その内容データアドレスを元にヘルプ機能情報格納エリア１９２から、その「ＣＰＲＭ」の項目の次の層の内容データが読み込まれ、図１５（ｃ）のような「ＣＰＲＭ」に関わる内容が表示される（ステップＳ１９）。
【００５２】
ここで、上記同様に、リンク表示されている文字が選択されると（ステップＳ２０）、ヘルプ機能情報テーブル１９１が参照され、そのリンクデータアドレスを元に該当する内容データが読み込まれて表示される（ステップＳ２１）。
【００５３】
ここで、メインメニューの「用語集」から他のサブメニューを選択する場合は、図示しないリモコンを操作して戻るを選択すればよい（ステップＳ２２）。ちなみに、図１５（ｄ）は「ＶＲフォーマット」の項目を選択した場合であり、その選択を決定することで、上記同様に、その「ＶＲフォーマット」の項目の次の層の内容データが読み込まれ、図１５（ｅ）のような「ＶＲフォーマット」に関わる内容が表示される。
【００５４】
また、図１５（ｆ）は「初期化」の項目を選択した場合であり、その選択を決定することで、図１５（ｇ）のような「初期化」に関わる内容が表示される。また、図１６（ａ）は「タイトルとチャプターディスク内の構成」の項目を選択した場合であり、その選択を決定することで、図１６（ｂ）のような「タイトルとチャプターディスク内の構成」に関わる内容が表示される。
【００５５】
また、図１６（ｃ）は「電子番組表（ＥＰＧ）」の項目を選択した場合であり、その選択を決定すると、図１６（ｄ）のような「電子番組表（ＥＰＧ）」に関わる内容が表示される。また、図１６（ｅ）は「ビデオフォーマット」の項目を選択した場合であり、その選択を決定すると、図１６（ｆ）のような「ビデオフォーマット」に関わる内容が表示される。
【００５６】
また、図１７（ａ）は「ファイナライズ」の項目を選択した場合であり、その選択を決定すると、図１７（ｂ）のような「ファイナライズ」に関わる内容が表示される。また、図１７（ｃ）は「録画画質」の項目を選択した場合であり、その選択を決定すると、図１７（ｄ）のような「録画画質」に関わる内容が表示される。
【００５７】
このように本実施例では、情報記憶手段としての情報記憶部１９０に機器操作の基本説明と、機器操作に関わるＦＡＱと、機器に関わる用語集とを示す情報を記憶しておき、信号処理手段として再生信号処理部１５０により情報記憶部１９０に記憶されている情報を表示可能に信号処理させ、制御手段としての制御部１８０が基本説明、ＦＡＱ、用語集のいずれかの選択を受け付けると、該当する情報を情報記憶部１９０から読み出して再生信号処理部１５０による信号処理を制御するようにしたので、特にＦＡＱが選択されると、知りたい情報が絞り込むことなく取得されるようにすることができ、ユーザによる操作を簡素化できる。
【００５８】
なお、本実施例では、基本説明、機器操作に関わるＦＡＱ、機器に関わる用語集の各々の内容に含まれるリンク表示されている文字が選択されると、該当する内容データが読み込まれて表示される場合について説明したが、この例に限らず、そのリンク表示されている文字が選択されたとき該当する内容が動画によって表示されるようにしてもよい。さらには、該当する内容が音声で発せられるようにしてもよい。
【００５９】
また、本実施例では、ＤＶＤレコーダ１００を、モニタ２００にケーブルで接続される据え置きタイプとした場合について説明したが、この例に限らず、モニタ一体型のポータブルタイプであってもよいし、ＴＶに一体化された一体型としてもよい。
【産業上の利用可能性】
【００６０】
ＤＶＤレコーダに限らず、テレビ、ＰＤＡ、カーナビ、携帯電話等の機器にも適用可能である。
【図面の簡単な説明】
【００６１】
【図１】本発明の映像表示装置をモニタにケーブルで接続される据え置きタイプのＤＶＤレコーダに適用した場合の一実施例を示すブロック図である。
【図２】図１のヘルプ機能情報テーブルの詳細について説明するための図である。
【図３】図１のヘルプ機能情報格納エリアに階層的に記録されている各種情報のうち、メインメニューの項目が「スタートメニュー項目説明」である場合のデータ構造を概念的に示す図である。
【図４】図１のヘルプ機能情報格納エリアに階層的に記録されている各種情報のうち、メインメニューの項目が「こんなときは」である場合のデータ構造を概念的に示す図である。
【図５】図１のヘルプ機能情報格納エリアに階層的に記録されている各種情報のうち、メインメニューの項目が「用語集」である場合のデータ構造を概念的に示す図である。
【図６】図１の映像表示装置による映像表示方法を説明するためのフローチャートである。
【図７】図１の映像表示装置によるメインメニューの「スタートメニュー項目説明」からサブメニューを選択した場合を説明するための図である。
【図８】図１の映像表示装置によるメインメニューの「スタートメニュー項目説明」からサブメニューを選択した場合を説明するための図である。
【図９】図１の映像表示装置によるメインメニューの「スタートメニュー項目説明」からサブメニューを選択した場合を説明するための図である。
【図１０】図１の映像表示装置によるメインメニューの「こんなときは」からサブメニューを選択した場合を説明するための図である。
【図１１】図１の映像表示装置によるメインメニューの「こんなときは」からサブメニューを選択した場合を説明するための図である。
【図１２】図１の映像表示装置によるメインメニューの「こんなときは」からサブメニューを選択した場合を説明するための図である。
【図１３】図１の映像表示装置によるメインメニューの「こんなときは」からサブメニューを選択した場合を説明するための図である。
【図１４】図１の映像表示装置によるメインメニューの「こんなときは」からサブメニューを選択した場合を説明するための図である。
【図１５】図１の映像表示装置によるメインメニューの「用語集」からサブメニューを選択した場合を説明するための図である。
【図１６】図１の映像表示装置によるメインメニューの「用語集」からサブメニューを選択した場合を説明するための図である。
【図１７】図１の映像表示装置によるメインメニューの「用語集」からサブメニューを選択した場合を説明するための図である。
【符号の説明】
【００６２】
１００  ＤＶＤレコーダ
１２０  デコーダ
１３０  エンコーダ
１４０  記録再生信号処理部
１４１  ピックアップ
１５０  再生信号処理部（信号処理手段）
１５１  ＯＳＤ回路
１６０  外部出力回路
１７０  受信部
１８０  制御部（制御手段）
１８１  選択指示受付部
１８２  ＯＳＤ表示制御部
１８３  選択情報特定部
１８４  選択情報読込部
１８５  書換情報受付部
１８６  情報書換部
１９０  情報記憶部（情報記憶手段）
１９１  ヘルプ機能情報テーブル
１９２  ヘルプ機能情報格納エリア
２００  モニタ
【図１】
2007104096.tif 000003
【図２】
2007104096.tif 000004
【図３】
2007104096.tif 000005
【図４】
2007104096.tif 000006
【図５】
2007104096.tif 000007
【図６】
2007104096.tif 000008
【図７】
2007104096.tif 000009
【図８】
2007104096.tif 000010
【図９】
2007104096.tif 000011
【図１０】
2007104096.tif 000012
【図１１】
2007104096.tif 000013
【図１２】
2007104096.tif 000014
【図１３】
2007104096.tif 000015
【図１４】
2007104096.tif 000016
【図１５】
2007104096.tif 000017
【図１６】
2007104096.tif 000018
【図１７】
2007104096.tif 000019